(57)【要約】      （修正有）【課題】送信機を持っての操縦時には、従来のような置き台が存在せずに操縦性が良く、かつ、重量の軽減が図れると共に意匠的にも斬新であり、また、送信機を使用しない場合にはスタンドを取付けて自立状態とすることができるので、保管場所を採らず、さらに、体裁よく載置することができるラジオコントロール玩具用送信機のスタンド装置を提供する。【解決手段】平板状に形成された載置部および該載置部の一面における略中央位置から起立した係合突起部が形成されたスタンド２と、該スタンドの前記係合突起部が挿入される係合穴が形成された把持部１１のみでは自立不可能な送信機本体１とからなり、前記係合突起部を前記係合穴に取付けた状態で送信機本体を横倒しすることで、前記載置部と前記送信機本体の把持部とによって送信機本体を自立状態で維持可能としたラジオコントロール玩具用送信機のスタンド装置。【選択図】 図３
0003137995.tif 000002
【実用新案登録請求の範囲】
【請求項１】
平板状に形成された載置部および該載置部の一面における略中央位置から起立した係合突起部が形成されたスタンドと、該スタンドの前記係合突起部が挿入される係合穴が形成された把持部のみでは自立不可能な送信機本体とからなり、前記係合突起部を前記係合穴に取付けた状態で送信機本体を横倒しすることで、前記載置部と前記送信機本体の把持部とによって送信機本体を自立状態で維持可能としたことを特徴とするラジオコントロール玩具用送信機のスタンド装置。
【請求項２】
前記スタンドにおける係合突起部に係合爪を有する弾性片が形成され、前記係合突起部を弾性片と共に前記送信機本体の係合穴内に挿入することで、前記弾性片に形成されている係合爪が前記送信機本体の係合穴内に形成されている係合爪と弾性的に係合されて係合突起部が係合穴内に固定されることを特徴とする請求項１記載のラジオコントロール玩具用送信機のスタンド装置。
【請求項３】
前記スタンドの係合突起部がゴム等の弾性体で形成し、あるいは、前記送信機本体の係合穴部分がゴム等の弾性体で形成し、前記係合突起部を前記係合穴内に挿入することで弾性体の摩擦抵抗によって前記スタンドが係合穴内に固定されることを特徴とする請求項１記載のラジオコントロール玩具用送信機のスタンド装置。
【請求項４】
前記スタンドの係合突起部を磁性体またはマグネットで形成し、前記送信機本体の係合穴内にマグネットまたは磁性体を埋設し、前記係合突起部を前記係合穴内に挿入することで磁性体とマグネットとの磁気力によって前記スタンドが係合穴内に固定されることを特徴とする請求項１記載のラジオコントロール玩具用送信機のスタンド装置。
【考案の詳細な説明】
【技術分野】
【０００１】
本考案は、ラジオコントロール玩具、特に、ラジオコントロールカーを無線によってコントロールするための送信機であって、該送信機を自立状態で起立させることが不可能な送信機にスタンドを取付けることで起立状態を保持できるようにしたラジオコントロール玩具用送信機のスタンド装置に関する。
【背景技術】
【０００２】
従来におけるこの種の送信機としては、例えば、本出願人会社が開設しているホームページに公開しているＵＲＬ（http://www.kyosho.com/jpn/products/rc/series.html?series_group_id=100002）に開示されている送信機がある。この送信機は前記ＵＲＬに掲載されているＲ／Ｃ電動コンパクトカー  ミニッツリットシリーズの写真からも明らかなように、遊技者が手で持つ把持部の下端に送信機の前方に向かって延長された電池が収納される置き台部が一体的に形成されている。そして、この送信機にあっては、ラジオコントロールカー等の玩具を操縦しないで家に置いておく状態時には置き台部を卓上等に載置することで送信機が倒れることなく自立状態となるものである。
【非特許文献１】京商株式会社が開設しているホームページのhttp://www.kyosho.com/jpn/products/rc/series.html?series_group_id=100002
【考案の開示】
【考案が解決しようとする課題】
【０００３】
ところで、前記した送信機にあっては、全体としてコの字形状に形成されているため、遊技者が手で持つ把持部の下側に置き台部があるために手のひらが大きい遊技者が把持部を持った時に小指が置き台部の上面に当たり操縦がし難くなったり、また、置き台部が存在するためにバランスが悪くなると共に重量が重くなり子供や女子が長時間使用した場合に腕が疲れ、さらに、体裁が悪いといった問題があった。
【０００４】
本考案は前記した問題点を解決せんとするもので、その目的とするところは、送信機を持っての操縦時には従来のような置き台部が存在せずに操縦性が良く、かつ、重量の軽減が図れると共に意匠的にも斬新であり、また、送信機を使用しない場合にはスタンドを取付けて自立状態とすることができるので、寝かせた状態で保管するよりも保管場所を採らず、さらに、体裁よく載置することができるラジオコントロール玩具用送信機のスタンド装置を提供せんとするにある。
【課題を解決するための手段】
【０００５】
本考案のラジオコントロール玩具用送信機のスタンド装置は前記した目的を達成せんとするもので、請求項１の手段は、平板状に形成された載置部および該載置部の一面における略中央位置から起立した係合突起部が形成されたスタンドと、該スタンドの前記係合突起部が挿入される係合穴が形成された把持部のみでは自立不可能な送信機本体とからなり、前記係合突起部を前記係合穴に取付けた状態で送信機本体を横倒しすることで、前記載置部と前記送信機本体の把持部とによって送信機本体を自立状態で維持可能としたことを特徴とする。
【０００６】
請求項２の手段は、前記した請求項１において、前記スタンドにおける係合突起部に係合爪を有する弾性片が形成され、前記係合突起部を弾性片と共に前記送信機本体の係合穴内に挿入することで、前記弾性片に形成されている係合爪が前記送信機本体の係合穴内に形成されている係合爪と弾性的に係合されて係合突起部が係合穴内に固定されることを特徴とする。
【０００７】
請求項３の手段は、前記した請求項１において、前記スタンドの係合突起部がゴム等の弾性体で形成し、あるいは、前記送信機本体の係合穴部分がゴム等の弾性体で形成し、前記係合突起部を前記係合穴内に挿入することで弾性体の摩擦抵抗によって前記スタンドが係合穴内に固定されることを特徴とする。
【０００８】
請求項４の手段は、前記した請求項１において、前記スタンドの係合突起部を磁性体またはマグネットで形成し、前記送信機本体の係合穴内にマグネットまたは磁性体を埋設し、前記係合突起部を前記係合穴内に挿入することで磁性体とマグネットとの磁気力によって前記スタンドが係合穴内に固定されることを特徴とする。
【考案の効果】
【０００９】
本考案は前記したように、送信機本体に形成された係合穴内にスタンドに形成された係合突起部を挿入した状態で送信機本体を横倒しするとスタンドの載置部と送信機本体の把持部とによって送信機本体が自立状態で維持可能となるので、送信機を使用しない状態時には寝かせた状態で保管するよりも保管場所を採ることがないと共に体裁よく載置することができ、また、送信機によってラジオコントロールカー等の玩具を操縦する場合には、スタンドを送信機より取り外して使用できるので、スタンドが邪魔になることがない。
【００１０】
また、係合突起部に係合爪を有する弾性片を形成し、一方、送信機本体の係合穴内に前記弾性片の係合爪と係合される係合爪を形成し、あるいは、係合突起部または送信機本体の係合穴部分をゴム等の弾性体で形成し、さらには、係合突起部を磁性体またはマグネットで形成し、一方、送信機本体の係合穴内にマグネットまたは磁性体を埋設することで、スタンドを送信機本体に対して簡単に装着して自立状態とすることができ、また、送信機本体よりスタンドを簡単に取り外して遊技することができる等の効果を有するものである。
【考案を実施するための最良の形態】
【００１１】
本考案は、送信機本体に形成された係合穴内にスタンドに形成された係合突起部を挿入した状態で送信機本体を横倒しするとスタンドの載置部と送信機本体の把持部とによって送信機本体を自立状態で維持可能とした。
【実施例】
【００１２】
以下、本考案のラジオコントロール玩具用送信機のスタンド装置の実施例を図面と共に説明する。
１は送信機本体にして、電池が収納されたカセット（図示せず）を装着、取り出し可能に収納される把持部１１と、該把持部１１の上端に一体的に形成された送信機部１２とより構成されている。送信機部１２内にはラジオコントロールカー等のラジオコントロール玩具の速度制御や旋回方向制御を行うための制御回路と、該制御回路よりの信号を無線信号として送信する送信回路が内蔵されている。
【００１３】
１２ａは遊技者が手で把持部１１を把持した状態で、該把持した側の指で操作するための速度制御用トリガー、１２ｂは把持部１１を把持していない側の手で回転操作するための旋回方向制御用ホイール、１２ｃは電源スイッチ用ボタン、１２ｄは前記把持部１１内に装填された電池カセットを取り出すための取り出し用ボタンである。なお、１２ｅはアンテナ、１２ｆは前記電源スイッチ用ボタン１２ｃを押して制御回路に電源が供給されると発光ダイオードが点灯した状態を外部から見えるようにした電源オン監視部である。
【００１４】
１３は前記送信機部１２の前記速度制御トリガー１２ａ側における円弧状部分１２ｇに形成された係合穴にして、後述するスタンド２の係合突起部２２が着脱自在に挿入可能な大きさに形成されている。そして、係合穴１３の内部には前記係合突起部２２に一体的に形成された弾性体２３の係合爪２３ａと係合可能な係合爪１３ａが形成されている。
【００１５】
２は合成樹脂や金属等の材料で形成されたスタンドにして、平板状に形成された卓上等に載置される載置部２１と、該載置部２１における上面側の中央部分から起立された係合突起部２２とから構成されている。そして、前記係合突起部２２には上端が係合突起部２２の上端と一体的に取付けられた弾性体２３が形成され、該弾性体２３には前記係合穴１３内の係合爪１３ａと係合する係合爪２３ａが形成されている。なお、図示における前記載置部２１は円弧状に形成されているが、この載置部２１の形状は図示の形状に限定されるものではない。
【００１６】
次に、ラジオコントロール玩具の操縦が終わり家の卓上等に置いておく場合について説明する。なお、ラジオコントロール玩具の操縦中には、送信機本体１よりスタンド２は外した状態で行うことで、操縦中にスタンド１が邪魔になることがない。
【００１７】
そして、遊技が終了し卓上に載置するには、スタンド２の係合突起部２２を弾性体２３と共に送信機本体１の係合穴１３の最奥部まで挿入すると、弾性体２３の係合爪２３ａが係合穴１３内の係合爪１３ａと係合されて容易に抜け出るのを防止できる。なお、スタンド２を係合穴１３から抜き取る場合には、弾性体２３を係合突起部２２側に押しつけることにより、係合爪２３ａ，１３ａどうしの係合が外れて容易に取り外すことが可能となる。
【００１８】
前記したように、送信機本体１にスタンド２を取付けた状態において図３に示すように、スタンド２の載置部２１と把持部１１を卓上等の平坦部に載置すると、送信機本体１はスタンド２の載置部２１と把持部１１とによって自立状態となって起立する。従って、送信機本体１を横倒しした状態よりも載置面積が小さくなると共に体裁良く載置することが可能となる。
【００１９】
なお、前記した送信機本体１へのスタンド２の固定手段としては、係合穴１３に対して係合突起部２２の弾性体２３との弾性力と係合爪１３ａ，２２ａどうしの係合力で固定した場合について説明したが、スタンド２を全体として硬質ゴム等の弾性部材で構成し、あるいは、係合突起部２２の部分のみを硬質ゴム等の弾性部材で構成し、送信機本体１の係合穴１３内に挿入することで、弾性部材の摩擦力で確実にスタンド２を送信機本体１に固定することが可能となる。また、スタンド２を合成樹脂や金属で形成し、送信機本体１の係合穴１３内に硬質ゴム等の弾性部材を嵌め込み、この弾性部材で形成した係合穴１３内に係合突起部２２を挿入してもよい。なお、この場合における係合突起部２２の形状は単に柱状の形状とすることでよい。
【００２０】
さらに、他の実施例としては、スタンド２の全体を磁性体で構成し、あるいは、合成樹脂製のスタンドの場合には係合突起部２２のみを磁性体で構成したり磁性体で覆い、一方、送信機本体１の係合穴１３内にマグネットを埋設し、この係合穴１３内に係合突起部２２を挿入することで、スタンド２は電磁力によって吸着固定される。なお、磁性体を係合穴内に配置し、係合突起部２２をマグネットとしても同様に電磁力によって固定するこができる。
【図面の簡単な説明】
【００２１】
【図１】本考案に係るラジオコントロール玩具用送信機のスタンド装置の実施例を示す送信機本体にスタンドを装着した状態の正面図である。
【図２】図１の背面側から見た斜視図である。
【図３】図２の状態の送信機本体を卓上等の水平部分に載置した状態の斜視図である。
【図４】スタンドの斜視図である。
【図５】図４の側面図である。
【符号の説明】
【００２２】
１      送信機本体
１１    把持部
１３    係合穴
１３ａ  係合爪
２      スタンド
２１    載置部
２２    係合突起部
２３    弾性部
２１ａ  係合爪
【図１】
0003137995.tif 000003
【図２】
0003137995.tif 000004
【図３】
0003137995.tif 000005
【図４】
0003137995.tif 000006
【図５】
0003137995.tif 000007